(57)【要約】【課題】  ポールに外部から外圧が加えられても、複数のフレームとポールとが互いに堅固に連結され、ポールとフレームの連結から構成される上面視方形が維持可能に構築された共有空間構造体を提供すること。【解決手段】  ポール３ａ、３ｂ、３ｃ、３ｄとフレーム４１の連結から上面視方形となるように共有空間構造体１が構成され、ポール３ａ、３ｂ、３ｃ、３ｄの対角に対向するポール３ａ、３ｂ、３ｃ、３ｄの同士が、互いのポールが引き合う方向の張力が付加されるように線材４０により連結されることで、ポール３ａ、３ｂ、３ｃ、３ｄ同士が線材４０の張力により互いに引き合うので、上面視方形の形状を構成するフレーム４１が水平状態を保ち、フレーム４１に連結されるポール３ａ、３ｂ、３ｃ、３ｄを常に垂直状態で保つので、互いに堅固に維持され補強されるので外部からの外圧に対して強い共有空間構造体１を構築できる。【選択図】  図９
2005139806.tif 000002
【特許請求の範囲】
【請求項１】
共有空間構造体の外郭を画定する所定位置から立設したポールと、隣り合う前記ポールの上端にそれぞれ連結することで、ほぼ水平状態に支持されるフレームとの組み合わせから成る共有空間構造体であって、上面視方形となるように少なくとも４本のポールと４本のフレームにより最小単位の共有空間構造体が構成されるとともに、前記４本のポールの対角に対向するポール同士が、互いのポールが引き合う方向の張力が付加されるように線材により連結されていることを特徴とする共有空間構造体。
【請求項２】
前記ポールの上端にそれぞれ連結されるフレームと同じ高さ、若しくはフレームのさらに上方位置で、前記線材がポールに連結されている請求項１に記載の共有空間構造体。
【請求項３】
各線材が、長手方向の所定位置に長さの調整機能を有するターンバックルを有するものとした請求項１または２に記載の共有空間構造体。
【請求項４】
各線材のターンバックルの位置が、線材の長手方向中央からどちら側かの端部に僅かにずらした位置とした請求項３に記載の共有空間構造体。
【請求項５】
前記最小共有空間構造体にポールとフレームを付加することで、一部ポールとフレームを共有する連続した複数の最小共有空間構造体を有する共有空間構造体が構成されるとともに、各ポールの上端面には、複数の係止孔が形成され、前記構造体の対角に対向する前記ポールの上端同士が、最も近距離に位置する互いの係止孔に係止軸が突設され、該係止軸に線材が係止されて連結されるようになっている請求項１乃至４のいずれかに記載の共有空間構造体。
【請求項６】
ポールの上端に、線材の端部と係止軸の上方を覆うカバー部材を取り付けた請求項５に記載の共有空間構造体。
【発明の詳細な説明】
【技術分野】
【０００１】
本発明は、共有空間構造体の外郭を画定する所定位置から立設したポールと、隣り合う前記ポールの上端にそれぞれ連結することで、ほぼ水平状態に支持されるフレームとの組み合わせから成る共有空間構造体に関する。
【背景技術】
【０００２】
近年、オフィス等のオープン化を図り、コミュニケーションを活発化させるということが唱えられ初められており、一般に、天井から床まで柱を立てて、柱の間を壁で覆うようにして部屋を造るようにしたもの、或いはパーティションにより空間を間仕切り所要のスペースを得るようにしたもの等が従来より知られている。
【０００３】
本出願人は、これらはオフィス等のオープン化によるコミュニケーションの活発化という目的を達成するための解放された空間構造体として、床の所定位置にベース部材を設置し、それぞれのベース部材にポールを立設させ、互いのポールの上端にフレーム部材を係合させ、フレーム部材をほぼ水平状態に支持させることにより、それ以外の外部空間と充分開放された関係で連接している構造体（以下、共有空間構造体と定義する。）を提案している（例えば、特許文献１参照。）。
【０００４】
【特許文献１】特開２００２−１３８６９３号公報（段落００１１、第１図）
【発明の開示】
【発明が解決しようとする課題】
【０００５】
特許文献１の共有空間構造体にあっては、上面視、直角二等辺三角形の形状を構成する３本のフレームを利用するため、構造上強固なものであるものの直角二等辺三角形の組み合わせとなり、要求される種々の形状（特定形状の長方形等）を構成することができなかった。
【０００６】
本発明は、このような問題点に着目してなされたもので、ポールに外部から外圧が加えられても、複数のフレームとポールとが互いに堅固に連結され、ポールとフレームの連結から構成される上面視方形が維持可能に構築された共有空間構造体を提供することを目的とする。
【課題を解決するための手段】
【０００７】
上記課題を解決するために、本発明の請求項１に記載の共有空間構造体は、共有空間構造体の外郭を画定する所定位置から立設したポールと、隣り合う前記ポールの上端にそれぞれ連結することで、ほぼ水平状態に支持されるフレームとの組み合わせから成る共有空間構造体であって、上面視方形となるように少なくとも４本のポールと４本のフレームにより最小単位の共有空間構造体が構成されるとともに、前記４本のポールの対角に対向するポール同士が、互いのポールが引き合う方向の張力が付加されるように線材により連結されていることを特徴としている。
この特徴によれば、４本のポールの対角に対向するポールの同士が線材によって連結され、このポール同士が線材の張力により互いに引き合うので、上面視方形の形状を維持でき、互いに線材の張力によってフレームとポールとの連結が堅固に維持され補強されることから、外部からの外圧に対して強い共有空間構造体が構築される。
【０００８】
本発明の請求項２に記載の共有空間構造体は、請求項１に記載の共有空間構造体であって、前記ポールの上端にそれぞれ連結されるフレームと同じ高さ、若しくはフレームのさらに上方位置で、前記線材がポールに連結されていることを特徴としている。
この特徴によれば、それぞれのフレームの連結によって構成される共有空間構造体のフレーム位置と同じ高さか、それ以上の高さに線材が張られることによって、外部空間より区画された共有空間の高さからくる圧迫感を減少させることができ、快適感を与えることができる。
【０００９】
本発明の請求項３に記載の共有空間構造体は、請求項１または２に記載の共有空間構造体であって、各線材が、長手方向の所定位置に長さの調整機能を有するターンバックルを有するものとしたことを特徴としている。
この特徴によれば、ターンバックルをポール間に連結した後に線材の長さを調整できるので、線材の張力の調整も行うことができ、該線材の張力が弱まった場合には容易に保守メンテナンスを行え、常に一定の張力を維持させることができる。
【００１０】
本発明の請求項４に記載の共有空間構造体は、請求項３に記載の共有空間構造体であって、各線材のターンバックルの位置が、線材の長手方向中央からどちら側かの端部に僅かにずらした位置としたことを特徴としている。
この特徴によれば、互いのターンバックルが同じ位置で交差することがないので、線材の長さ調整を行う際に互いのターンバックルの調整に支障をきたすことを未然に防止できる。
【００１１】
本発明の請求項５に記載の共有空間構造体は、請求項１乃至４のいずれかに記載の共有空間構造体であって、前記最小共有空間構造体にポールとフレームを付加することで、一部ポールとフレームを共有する連続した複数の最小共有空間構造体を有する共有空間構造体が構成されるとともに、各ポールの上端面には、複数の係止孔が形成され、前記構造体の対角に対向する前記ポールの上端同士が、最も近距離に位置する互いの係止孔に係止軸が突設され、該係止軸に線材が係止されて連結されるようになっていることを特徴としている。
この特徴によれば、ポール間の最短距離に形成された係止軸に線材が連結されることで、線材の引張力によってポールが回転することを防止できる。
【００１２】
本発明の請求項６に記載の共有空間構造体は、請求項５に記載の共有空間構造体であって、ポールの上端に、線材の端部と係止軸の上方を覆うカバー部材を取り付けたことを特徴としている。
この特徴によれば、カバー部材によって線材がカバーされるため、線材が係止軸から取り外れてしまうことを防止できる。
【発明を実施するための最良の形態】
【００１３】
本発明の実施例を以下に説明する。
【００１４】
以下、本発明の実施例を図面に基づいて説明すると、まず図１にはワークスペースとして構築した共有空間構造体１の全体図が示されており、この共有空間構造体１は、主にポール３（この実施例では６本示されており、３ａ、３ｂ、３ｃ、３ｄ、３ｅ、３ｆとする）と、フレーム４１と、一部に下部受材３５とが組み合わされて構築されている。
【００１５】
本実施例のフレーム４１は、主に補強部材としての第１フレーム部材４と、後述するように補強および案内レールそしてパネル支持部として機能する第２フレーム部材６から構成されている。
【００１６】
共有空間構造体１を構成する最小共有空間構造体の単位は、図１に示されるように、４本のポール３ａ〜３ｄと、４本のフレーム４１と、下部受材３５から成る空間構造体が、それ以外の外部空間と充分開放された関係で連接できる構造体（最小共有空間構造体）であることをいう。さらに最小共有空間構造体に２本のポール３ｅ、３ｆと、３本の第１フレーム部材４、３本のフレーム４１、下部受材３５から成る空間構造体を連接することで、共有空間構造体１’が共有空間構造体１に接続されるように構成されている。
【００１７】
即ち、本実施例の共有空間構造体１ではポール３ａ、３ｂ及びフレーム４１で囲まれた部分、ポール３ｂ、ポール３ｃ及びフレーム４１で囲まれた部分及び、上部の４本のフレーム４１で囲まれた部分、の３箇所の部分が外部空間と開放された関係で連接され、ポール３ｄ、ポール３ｃ及びフレーム４１で囲まれた部分が隣接する共有空間構造体１’に連接され、共有空間が拡張されている。
【００１８】
ポール３ａ、３ｄ及びフレーム４１、下部受材３５で囲まれた部分、ポール３ｄ、３ｅ及びフレーム４１、下部受材３５で囲まれた部分、ポール３ｅ、３ｆ及びフレーム４１、下部受材３５で囲まれた部分には、それぞれパネル体２０ａ、パネル体２０ｂ、パネル体２０ｃからなるパネル体２０が設けられていて、共有空間構造体１、１’の一部が閉鎖的な形になっているが、パネル体２０の調設は自由である。
【００１９】
また、対角に位置する対向する２本のポール３間には、後述する線材４０が２本交差するように掛け渡されており、共有空間構造体１、１’のそれぞれの上面視方形を構成する４本のフレーム４の補強部材となっている。
【００２０】
また、共有空間構造体１、１’の床面７にはテーブル５０と椅子５２が配置され、ポール３ａ、３ｂ、ポール３ｄ、３ｃ、ポール３ｅ、３ｆ間の第１フレーム部材４には照明灯５１が設けられており、例えば、パネル体２０に資料やグラフを貼付したり、テーブル５０で作業をしたりと、共有空間構造体１の使用目的に応じて、付属物を配設し使い勝手の良いものにすることができるようになっている。
【００２１】
なお、本実施例では最小単位の共有空間構造体を構成する共有空間構造体１、１’を組み合わせて共有空間の広さを拡張しているが、利用する共有空間構造体の広さに応じて、これら最小共有空間構造体を複数組み合わせれば良い。
【００２２】
次に、本実施例で使用されている共有空間構造体１の具体的な構造について説明する。図２にはポール３ａ、フレーム４１の一部である第１フレーム部材４及び第２フレーム部材６、下部受材３５、端部連結部材３０、アジャスタ２の分解組立図が示されている。第１フレーム部材４は、中空管のアッパービーム４ａとローワビーム４ｂとを中間材４ｃの上下端にそれぞれ溶接して構成されている。第２フレーム部材６は、上端に上向凹溝６ｃ、下端に下向凹溝６ｄがそれぞれ長手方向に形成されており、長手方向の側面にパネル体２０を固定するためのネジ受溝６ｅが形成され、端部の上下にボルト孔６ｆが形成されている。
【００２３】
アッパービーム４ａとローワビーム４ｂの端部には、ボルトを介して止着部材１２が取り付けられ、止着部材１２は、下方に延出しており、ここに第２フレーム部材６がボルト孔６ｆにボルト止めされ、第１フレーム部材４と第２フレーム部材６は一体となりフレーム４１が構成される。
【００２４】
このフレームをポール３ａに取り付けるには、図３（ａ）に示されるように、ポール３に形成される溝部９の上端から取付材１１を下方に挿通させていき、取付材１１の頭部に形成された係止頭部１１ａがポール３ａの上端に引っ掛かるまで挿通させる。そして、止着材１２を取付材１１に形成される螺合孔（図示略）を利用して、ボルト（図示略）を締めることで、ポール３ａ形成される係止片１０が取付材１１と止着部材１２とで挟持されて、ポール３ａの上部にフレームが取り付けられる。
【００２５】
図２に示されるように、下部受材３５の上端には長手方向に溝条３５ａが形成され、この下部受材３５の端部には、Ｌ字に形成された止着部材３７がボルトを介して取り付けられている。この下部受材３５をポール３ａに取り付けるには、図３（ｂ）に示されるように、ポール３の溝部９の下端から下部受材３５を上方に挿通させ、止着材３７を取付材３６に形成される螺合孔（図示略）を利用して、ボルトを締めることで、ポール３に形成される係止片１０が取付材３６と止着部材３７とで挟持されて、ポール３ａの上部に下部受材３５が取り付けられる。
【００２６】
図２に戻り、ポール３ａの中心部には雌ネジ部３Ｘが形成されており、ポール３ａの下端側からアジャスタ２のネジ部材２ａを雌ネジ部３Ｘに螺合させることでアジャスタ２が取り付けられポール３ａの高さ調整が行えるようになっており、床面７が多少変形或いは傾斜していても常にフレームを水平状態に維持できるように構成されている。
【００２７】
また、ポール３ａの上端側からカバー部材（図示略）の下部に形成された螺合雄ネジ（図示略）を雌ネジ部３Ｘに螺合させることでカバー部材が取り付けられ、取付材１１の係止頭部１１ａがカバー部材によりおさえられ、第１フレーム部材４の上方への抜け出しが阻止できるようになっている。
【００２８】
ポール３ａに取り付けられた取付材１１と取付材３６の間の溝部９には、端部連結部材３０が係合されており、この端部連結部材３０は後述するパネル体２０を案内及び閉鎖するためのものであり、この端部連結部材３０の取付構造について以下に詳述する。
【００２９】
図４に示されるように、本実施例のポール３ａの断面形状は、円周に外側部が若干拡がった略Ｕ字状の８つの溝部９が上下方向に延びており、各溝部９の外方を向く開口９ａの左右両側に、遊端が互いに向き合って離間する左右の係止片１０により溝部９の一部が覆われている。本実施例において溝部９は円柱状のポールに形成しているため、比較的多くの溝部９を形成でき、そのために第１フレーム部材４の取付け方向が選択できる。また、ポール形状は円柱状と限らず、例えば四角柱状のもので４つの溝を形成するようにしたものであってもよい。
【００３０】
端部連結部材３０は、弾性を有する硬質樹脂から構成される硬質部３０ａと、弾性を有する軟質樹脂から構成される軟質部３０ｂとが２色成形法で一体成形されており、硬質部３０ａは先端が４股のフォーク状に延出しており、内方の２股の先端には外方に向くように係止爪３０ｃが形成され、外方の２股の先端は内方の２股よりも若干短くなっている。
【００３１】
ポール３ａの溝部９に端部連結部材３０を取り付ける際には、硬質部３０ａの係止爪３０ｃを開口９ａに向けて強く押圧して嵌め込むことで、係止片１０が内方２股の係止爪３０ｃと外方２股の先端に挟持され、端部連結部材３０が溝部９に固定される。一方、軟質部３０ｂは、パネル体２０の側端枠２４に形成された溝条２４ｂに収納される程度の大きさで形成されており、外圧が加えられると弾性変形可能になっており、外圧から解放されると元の形状に弾性復帰するようになっている。
【００３２】
このように、端部連結部材３０に軟質部３０ｂが設けられることで、共有空間構造体１の枠体に取り付けられた際に、パネル体２０の側端枠２４が軟質部３０ｂによって保護されるようになっている。
【００３３】
以上のように、フレーム４１、下部受材３５、端部連結部材３０、アジャスタ２のポール３ａへの組付構造を説明をしたが、同様に他の複数のポール３ｂ、３ｃ、３ｄ、３ｅ、３ｆにも同様の手順により、これら各種部材（フレーム４１、下部受材３５、端部連結部材３０、アジャスタ２）の取り付けを行うことで、共有空間構造体１を構成することができる。
【００３４】
次に、共有空間構造体１に設けられたパネル体２０の説明をパネル体２０ａを例として以下に説明する。なお、パネル体２０ｂとパネル体２０ｃはパネル体２０ａと略同様の構成のため説明を省略する。
【００３５】
図５（ａ）に示されるように、パネル体２０ａは、パネル板２２と、パネル板２２の周縁を構成する４本の枠体である上端枠２５、下端枠２６、左右の側端枠２４と、これら４本の枠体のコーナ部を連結する４つのコーナ連結部材２７から構成されている。
【００３６】
コーナ連結部材２７は、矩形状のパネル板２２の４箇所のコーナ部にそれぞれ装着されるもので、パネル板２２外周の４辺に装着される上端枠２５、下端枠２６ないし左右の側端枠２４の端部同士を連結するようになっている。そこで、パネル体２０ａの外周縁を構成する枠体である上端枠２５、下端枠２６、左右の側端枠２４の連結構造を図５（ｂ）を用いて詳しく説明する。
【００３７】
コーナ連結部材２７の交差する両端に形成された連結棒２７ｂは、それぞれ上端枠２５と側端枠２４の端部に形成される接続穴２５ｃ、２４ｃに嵌入可能に形成されている。嵌入された連結棒２７ｂは、上端枠２５と側端枠２４に形成された２つの挿通孔（図示略）を介して挿通した連結ボルト２７ｅを連結棒２７ｂに形成される螺合孔（図示略）螺着することで上端枠２５と側端枠２４がコーナ連結部材２７を介して連結される。同様に下端枠２６と側端枠２４との連結も、コーナ連結部材２７を介して連結される。
【００３８】
そこで、図５（ａ）、（ｂ）に示すように、これら連結された上端枠２５、下端枠２６ないし左右の側端枠２４、コーナ連結部材２７の内面側には、パネル板２２を取り付けるためのパネル溝２５ａ、２６ａ、２４ａ、２７ａが形成されており、パネル板２２の４辺がこれたパネル溝２５ａ、２６ａ、２４ａ、２７ａに嵌合されることでパネル板２２が取り付けられおり、パネル板２２の外周縁を保護するための枠体が構築されるようになっている。
【００３９】
このようにして構成されたパネル体２０ａの上端枠２５には、Ｌ字形の連結片２３が予め上端枠２５に形成された一対のネジ孔（図示略）に２本のボルト２３ｂを介して固定されている。この連結片２３には後述において説明するパネル体２０ａを第２フレーム部材６に取り付けるための連結孔２３ａが形成されている。
【００４０】
パネル体２０ａの下端枠２６の両端に連結されたコーナ連結部材２７には、螺合溝２７ｃが形成されており、パネル体２０ａの高さ調節を行う調整部材であるジャッキボルト２８が螺合されている。この左右下端に設けられたジャッキボルト２８を介して、パネル体２０ａが支持されるようになっている。なお、ジャッキボルト２８の下端部は、前述の床面７上に敷設された下部受材３５の上端に形成された溝条３５ａ内に載置可能な形状になっている（図２参照）。
【００４１】
上記において説明したパネル体２０ａを共有空間構造体１に取り付けるには、図６に示されるように、上端枠２５に設けられた一対の連結片２３を第２フレーム部材６の下向凹溝６ｄに挿入させ、上端枠２５が第２フレーム部材６に水平になるように持ち上げていき、下端枠２６の両端部のコーナー連結部材２７に設けられたジャッキボルト２８を下部受材３５の溝条３５ａに嵌合させる。
【００４２】
このように、ジャッキボルト２８の下端を下部受材３５の溝条３５ａに嵌合させるだけで、パネル体２０ａの設置場所の位置合わせの調整を行う必要がなく、パネル体２０ａを容易に下部受材３５に取り付けることができるとともに、ジャッキボルト２８の下端の嵌合により下部受材３５からパネル体が外れる恐れもない。このようにポール３ａ方向に向かってパネル体２０ａを端部連結部材３０に当接する位置まで移動させることで取り付けが完了する。同様の取付手順で共有空間構造体１の枠体にパネル体２０ｂとパネル体２０ｃが取り付けられ、本実施例の共有空間構造体１が構成される。
【００４３】
次に、以上の説明のように構成された共有空間構造体１の上面視方形を構成する４本のフレーム４（図１参照）の補強部材となっている線材４０について詳述する。
【００４４】
この線材４０は図７に示されるように、金属製の線材により構成され、両端部が環状に屈曲処理され取付部４０ａがそれぞれ形成されている。中央部には線材４０の長さを調整するための調整機能を有するターンバックル４０ｂが設けられていて、線材４０の長手方向を軸として回動させることで、線材４０を所望の長さに調整できるようになっている。
【００４５】
図８（ａ）（ｂ）に示されるように、線材４０はポール３ａの上端部を構成する線材係止部材４３に連結されるようになっている。線材係止部材４３には、係止軸４２を係止する複数の係止孔４３ａと、カバー部材４５に螺合される取付ボルト４５Ｘが貫通可能な貫通孔４３ｂと、カバー部材４５の案内ピン４５ａを線材係止部材４３に位置固定するための複数のピン受孔４３ｃが形成されている。
【００４６】
まず、図８（ａ）に示されるように、係止軸４２を線材４０の取付部４０ａに挿通させながら係止孔４３ａに螺合させ、線材係止部材４３に突設させた状態で固定させることで、線材４０が係止軸４２に係止され線材係止部材４３に連結される。
【００４７】
次いで、取付ボルト４５Ｘがカバー部材４５のボルト孔４５ｃと線材係止部材４３の貫通孔４３ｂとを介して、さらにポール３ａの雌ネジ部３Ｘに螺合することで、カバー部材４５が線材係止部材４３を挟み込んで、ポール３ａに固定される。
【００４８】
上記の線材４０の連結により、図８（ｂ）に示されるように、線材４０両端の取付部４０ａは係止軸４２を介して、ポール３ａとポール３ｃにそれぞれ連結される。図示しないが、ポール３ｂとポール３ｄにも同様に線材４０が連結される。
【００４９】
なお、取付ボルト４５Ｘが雌ネジ部３Ｘに螺合する際には、案内ピン４５ａがピン受孔４３ｃに嵌入され、カバー部材４５によって線材４０の取付部４０ａがカバーされるため、線材４０が係止軸４２から取り外れてしまうことを防止でき、線材４０とポール３ａとの連結状態が容易に解除されないようになっている。
【００５０】
したがって、線材４０の連結位置がポール３ａやフレーム４よりも高い位置に、線材４０が張られることによって、外部空間より区画された共有空間構造体１の共有空間の高さからくる圧迫感を減少させることができ、快適感を与えることができる。
【００５１】
また、線材４０には長さ調整を行うためのターンバックル４０ｂが設けられているので、ターンバックル４０ｂの調整により線材４０の張力の調整も行うことができ、線材４０の張力が弱まった場合には容易に保守メンテナンスを行え、常に一定の張力を維持させることができる。
【００５２】
この線材４０の連結状態における互いの係止軸４２の位置関係は、共有空間構造体１の上面視方形の対角に対向するポール３ａとポール３ｃの上端部にそれぞれ設けられた線材係止部材４３同士が、最も近距離に位置する互いの係止孔４３ａに係止軸４２がそれぞれ突設されている。このように、ポール３ａとポール３ｃ間の最短距離に形成された係止軸４２に線材４０が連結されることで、線材４０の引張力によって、それぞれのポール３ａ、３ｃが回転することを防止できる。
【００５３】
以上に説明した線材４０によって、図９に示されるように４本のポール３ａ、３ｂ、３ｃ、３ｄの対角に対向するポール３ａとポール３ｃ、ポール３ｂとポール３ｄのそれぞれが線材４０の張力により互いに引き合うので、上面視方形の形状を維持でき、互いに線材４０の張力によって、フレーム４１とポール３との連結が堅固に維持され補強されることから、外部からの外圧に対して強い共有空間構造体１が構築される。
【００５４】
また、交差するターンバックル４０ｂの位置を線材４０の長手方向中央からどちら側かの端部に僅かにずらした位置とすることで、互いのターンバックル４０ｂが同じ位置で交差することがないので、線材４０の長さ調整を行う際に互いのターンバックル４０ｂの調整に支障をきたすことを未然に防止できる。
【００５５】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、線材４０の取り付け位置を共有空間構造体１の上部に位置し、上面視方形を形成する４本のフレーム（第１フレーム部材４、第２フレーム部材６）と４本のポール３の上端よりも上方に位置するように連結され配設することで、共有空間構造体１の天井の高さをなるべく低くしない構成になっているが、本発明はこれに限定されるものではなく、ポール３の対角に対向するポール３の同士を連結する線材４０の連結構造を備えていれば、線材４０の取り付け位置は任意で良い。
【００５６】
また、上記実施例では、線材４０の長さ調整を行うために、線材４０の略中央部にターンバックル４０ｂを取り付けることで線材４０の長さ調整を行い、張力の調整をしているが、本発明はこれに限定されるものではなく、長さの調整機能を有する他の構成をもちいて線材４の長さの調整を行うようにしても良い。
【図面の簡単な説明】
【００５７】
【図１】本発明の共有空間構造体の全体斜視図である。
【図２】ポール、フレーム、下部受材、端部連結部材の分解組立斜視図である。
【図３】（ａ）は、図２に示すポールにフレームが取り付けられたＡ−Ａ平面断面図である。  （ｂ）は、図２に示すポールに下部受材が取り付けられたＢ−Ｂ平面断面図である。
【図４】図２に示すポールに端部連結部材が取り付けられたＣ−Ｃ線の平面断面図である。
【図５】（ａ）は、パネル体の正面図である。  （ｂ）は、パネル体の分解組立正面図である。
【図６】共有空間構造体にパネル体を取り付ける取付過程を示す正面図である。
【図７】ターンバックルの平面図である。
【図８】ポールにターンバックルを取り付ける過程を示す分解取付正面図である。
【図９】ターンバックルによる共有空間構造体の安定強度を示す平面図である。
【符号の説明】
【００５８】
１、１’    共有空間構造体
２          アジャスタ
２ａ        ネジ部材
３          ポール
３ａ、３ｂ、３ｃ、３ｄ、３ｅ、３ｆ    ６本の各ポール
３Ｘ        雌ネジ部
４          第１フレーム部材（フレームの一部）
４ａ        アッパービーム
４ｂ        ローワビーム
４ｃ        中間材
６          第２フレーム部材（フレームの一部）
６ｃ        上向凹溝
６ｄ        下向凹溝
６ｅ        ネジ受溝
６ｆ        ボルト孔
７          床面
８          取付ネジ
９          溝部
９ａ        開口
１０        係止片
１１        取付材
１１ａ      係止頭部
１２        止着部材
２０        パネル体
２０ａ      パネル体
２０ｂ      パネル体
２０ｃ      パネル体
２２        パネル板
２３        連結片
２３ａ      連結孔
２３ｂ      ボルト
２４        側端枠（枠体の一部）
２４ａ      パネル溝
２４ｂ      溝条
２４ｃ      接続穴
２５        上端枠（枠体の一部）
２５ａ      パネル溝
２５ｃ      接続穴
２６        下端枠（枠体の一部）
２６ａ      パネル溝
２６ｃ      接続穴
２７        コーナ連結部材（枠体の一部）
２７ａ      パネル溝
２７ｂ      連結棒
２７ｃ      螺合溝
２７ｅ      連結ボルト
２８        ジャッキボルト（調整部材）
２９        パネル本体
３０        端部連結部材
３０ａ      硬質部
３０ｂ      軟質部
３０ｃ      係止爪
３５        下部受材
３５ａ      溝条
３６        取付材
３７        止着部材
４０        線材
４０ａ      取付部
４０ｂ      ターンバックル
４１        フレーム
４２        係止軸
４３        線材係止部材
４３ａ      係止孔
４３ｂ      貫通孔
４３ｃ      ピン受孔
４５        カバー部材
４５ａ      案内ピン
４５ｂ      ボルト孔
４５Ｘ      取付ボルト
５０        テーブル
５１        照明灯
５２        椅子
【図１】
2005139806.tif 000003
【図２】
2005139806.tif 000004
【図３】
2005139806.tif 000005
【図４】
2005139806.tif 000006
【図５】
2005139806.tif 000007
【図６】
2005139806.tif 000008
【図７】
2005139806.tif 000009
【図８】
2005139806.tif 000010
【図９】
2005139806.tif 000011